(57)【要約】【課題】ルーティングスイッチャを用いた信号切替システムにおいて、ルーティングスイッチャに関する各種情報を、システム内で容易に取得して利用できるようにする。【解決手段】ルーティングスイッチャにおいて入力信号線と出力信号線とが交差する領域のうち、少なくとも信号の出力のために使用されない領域である未使用領域４３を、入力信号線と出力信号線とを接続させることにより、ルーティングスイッチャに関する所定の情報を記憶させる領域として使用し、この未使用領域４３に記録された情報を、システム内で利用する。【選択図】            図４
2004274406.tif 000002
【特許請求の範囲】
【請求項１】
複数の入力信号線と複数の出力信号線とが交差し、各交差箇所に接続スイッチが設けられた信号切替装置を用いて信号を切り替えるシステムにおいて、
前記信号切替装置において前記入力信号線と前記出力信号線とが交差する領域のうち、少なくとも信号の出力のために使用されない領域である未使用領域が、前記入力信号線と前記出力信号線とを接続させることにより、前記信号切替装置に関する所定の情報を記憶させる領域として使用され、
前記未使用領域に記録された前記所定の情報が、前記システム内で利用されるようにしたことを特徴とする信号切替システム。
【請求項２】
複数の入力信号線と複数の出力信号線とが交差し、各交差箇所に接続スイッチが設けられたマトリクスを複数有する信号切替装置を用いて信号を切り替えるシステムにおいて、
前記信号切替装置において前記入力信号線と前記出力信号線とが交差する領域のうち、信号の入出力のために使用されないマトリクス内の領域である未使用領域が、前記入力信号線と前記出力信号線とを接続させることにより、前記信号切替装置に関する所定の情報を記憶させるための領域として使用され、
前記未使用領域に記録された前記所定の情報が、前記システム内で利用されるようにしたことを特徴とする信号切替システム。
【請求項３】
請求項１または２に記載の信号切替システムにおいて、
前記未使用領域が、前記信号切替装置において前記入力信号線と前記出力信号線とが交差する領域のうち、信号の入出力のために使用される領域である使用領域における前記入力信号線と前記出力信号線との初期設定の接続状態を記憶させる領域として使用され、
前記信号切替装置の前記使用領域における前記入力信号線と前記出力信号線との接続状態を、前記初期設定の接続状態に戻すことを指示するための操作手段と、
前記操作手段の操作に基づき、前記信号切替装置の前記使用領域における前記入力信号線と前記出力信号線との接続状態を、前記未使用領域に記憶された前記初期設定の接続状態と同じ状態にさせる制御手段と
を備えたことを特徴とする信号切替システム。
【請求項４】
請求項１または２に記載の信号切替システムにおいて、
複数の前記信号切替装置がつなげて用いられており、
各々の前記信号切替装置の前記未使用領域が、該信号切替装置以外の前記信号切替装置において前記入力信号線と前記出力信号線とが交差する領域のうち、信号の入出力のために使用される領域である使用領域における前記入力信号線と前記出力信号線との現在の接続状態を記憶させる領域として使用され、
各々の前記信号切替装置の前記使用領域における前記入力信号線と前記出力信号線との現在の接続状態を示す情報を、該信号切替装置以外の前記信号切替装置の前記未使用領域に記憶させる制御手段
を備えたことを特徴とする信号切替システム。
【請求項５】
請求項１または２に記載の信号切替システムにおいて、
複数の前記信号切替装置がつなげて用いられており、
各々の前記信号切替装置の前記未使用領域が、該信号切替装置以外の前記信号切替装置の名称を記憶させる領域として使用され、
各々の前記信号切替装置の前記名称を、該信号切替装置以外の前記信号切替装置の前記未使用領域に記憶させる制御手段
を備えたことを特徴とする信号切替システム。
【発明の詳細な説明】
【０００１】
【発明の属する技術分野】
本発明は、例えばルーティングスイッチャを用いて映像・音声信号の切り替えを行うシステムに適用して好適な信号切替システムに関する。
【０００２】
【従来の技術】
放送局において番組の放送や収録を行う際には、スタジオ内や中継現場の多数のビデオカメラからの映像・音声信号や、ＶＴＲからの映像・音声信号等を、全てルーティングスイッチャと呼ばれる信号切替装置に入力させ、どの映像・音声信号を送出するか、どの映像・音声信号をどの編集装置に送るか等を、このルーティングスイッチャを制御することによって切り替えるようにしている（特許文献１参照）。
【０００３】
ルーティングスイッチャは、図１に示すように、それぞれ複数本（例えば１２８本の倍数で最大１０２４本）の入力信号線ＩＮ００１，ＩＮ００２，…と出力信号線ＯＵＴ００１，ＯＵＴ００２，…とが交差し、各交差箇所にリレー接点のような接続スイッチ（図示略）が設けられたマトリクス構造の信号切替部を有している（図では、入力信号線と出力信号線とが接続された交差箇所を×印で表している）。
【０００４】
また、信号切替部では、こうしたマトリクスが階層状に複数（例えば８または１６）存在している。各層のマトリクスは「レベル」と呼ばれており、例えば、レベル１は映像信号の切替えのために使用され、レベル２は音声信号の切替えのために使用される。
【０００５】
こうしたルーティングスイッチャを用いた映像・音声切替システムでは、ルーティングスイッチャを制御して出力信号線と入力信号線との接続状態を変化させる（個々の出力信号線をそれぞれ所望の入力信号線と接続させる）ための操作器として、ＧＵＩ画面上での操作に基づいてルーティングスイッチャを制御するソフトウェアをインストールしたパーソナルコンピュータや、専用のコントロールパネルが設けられている。
【０００６】
そして、各ビデオカメラ，ＶＴＲ等からの映像・音声信号をそれぞれルーティングスイッチャの特定の入力信号線に入力させるとともに、各送出用機器，編集装置等にそれぞれルーティングスイッチャの特定の出力信号線からの映像・音声信号を送るようにしておき、パーソナルコンピュータのＧＵＩ画面やコントロールパネルの操作により、各ビデオカメラやＶＴＲ等からの映像・音声信号をそれぞれどこに送出したりどの編集装置に送ったりするかを切り替えることができるようにしている。
【０００７】
【特許文献１】
特開平２００２−３１４８７９号公報（段落番号０００２乃至０００７、図９及び図１０）
【０００８】
【発明が解決しようとする課題】
ところで、放送局では、緊急時等に、ルーティングスイッチャの入力信号線と出力信号線との接続状態を、所定の初期設定（デフォルト）の状態に戻すようにしていることがある。
【０００９】
このデフォルトの状態としては、例えば、各出力信号線をそれぞれ同じ番号の入力信号線と接続させた状態（出力信号線ＯＵＴ００１は入力信号線ＩＮ００１と接続させ、出力信号線ＯＵＴ００２は入力信号線ＩＮ００２と接続させ、…出力信号線ＯＵＴｎは入力信号線ＩＮｎと接続させた状態）や、あるいは、全ての出力信号線を、ブラックバースト信号を入力させている特定の１つの入力信号線と接続させた状態がある。
【００１０】
ルーティングスイッチャを用いた従来の映像・音声切替システムにおいて、ルーティングスイッチャの入力信号線と出力信号線との接続状態をこのデフォルト状態に戻すためには、次の（ａ）または（ｂ）の方法をとらざるを得なかった。
【００１１】
（ａ）オペレータが、パーソナルコンピュータのＧＵＩ画面やコントロールパネルで、個々の出力信号線を、それぞれデフォルト状態において接続すべき入力信号線と接続させる操作を行う。
【００１２】
（ｂ）デフォルトの状態を示す情報を上位装置（コンピュータ等）に記憶させておき、その上位装置に記憶された情報によってルーティングスイッチャを制御する。
【００１３】
しかし、（ａ）の方法には、操作に時間がかかるので緊急時に間に合わなくなるという不都合や、誤操作があった場合に正確にデフォルト状態に戻せなくなるという不都合がある。
【００１４】
また、（ｂ）の方法にも、上位装置との通信に時間がかかる場合には緊急時に間に合わなくなるという不都合や、上位装置にトラブルが生じた場合にはデフォルト状態に戻せなくなるという不都合がある。
【００１５】
こうした不都合を解消するためには、デフォルト状態を示す情報を、映像・音声切替システム内で容易に取得して利用できるようにすることが重要である。
【００１６】
他方、放送局では、設備の拡張等により、こうした映像・音声切替システムが複数設置され、各システムのルーティングスイッチャがつなげて用いられていることがある。
【００１７】
図２は、２つのルーティングスイッチャがつなげて用いられる例を示している。ビデオカメラやＶＴＲ等からの映像・音声信号が、一方の映像・音声切替システムのルーティングスイッチャ１０１の入力信号線ＩＮ００１，ＩＮ００２，…に入力する。
【００１８】
ルーティングスイッチャ１０１の出力信号線ＯＵＴ００１，ＯＵＴ００２，…から出力した映像・音声信号が、他方の映像・音声切替システムのルーティングスイッチャ１０２の入力信号線ＩＮ００１，ＩＮ００２，…に入力する。
【００１９】
そして、ルーティングスイッチャ１０２の出力信号線ＯＵＴ００１，ＯＵＴ００２，…から出力した映像・音声信号が、送出用機器や編集装置等に送られる。
【００２０】
このように複数のルーティングスイッチャがつなげて用いられる場合において、各カメラやＶＴＲ等からの映像・音声信号を最終的に目的とする送出用機器や編集装置等に間違いなく送るためには、各システムの側で、相手方のシステムのルーティングスイッチャにおける入力信号線と出力信号線との現在の接続状態を確認することが必要である。
【００２１】
さらに、このように複数のルーティングスイッチャがつなげて用いられる場合において、各カメラやＶＴＲ等からの映像・音声信号を最終的に目的とする送出用機器や編集装置等に間違いなく送るためには、各システムの側で、自分の側のシステムのルーティングスイッチャにつなげられているルーティングスイッチャの名称を確認する（本来つなげるべきでないルーティングスイッチャに誤ってつなげられていないかをこの名称で確認する）ことも必要である。
【００２２】
このような確認を迅速且つ正確に行えるようにするためには、各システム内で、相手方のシステムのルーティングスイッチャに関する情報（現在の接続状態や名称）を容易に取得して利用できるようにすることが重要である。
【００２３】
しかし、ルーティングスイッチャを用いた従来の映像・音声切替システムが複数設置された場合、各システム内で、相手方のシステムのルーティングスイッチャに関する情報を容易に取得して利用することはできなかった。
【００２４】
本発明は、上述の点に鑑み、ルーティングスイッチャのような信号切替装置を用いて信号の切り替えを行うシステムにおいて、信号切替装置に関する各種情報を、システム内で容易に取得して利用できるようにすることを課題としてなされたものである。
【００２５】
【課題を解決するための手段】
この課題を解決するために、本出願人は、複数の入力信号線と複数の出力信号線とが交差し、各交差箇所に接続スイッチが設けられた信号切替装置を用いて信号を切り替えるシステムにおいて、この信号切替装置において入力信号線と出力信号線とが交差する領域のうち、少なくとも信号の出力のために使用されない領域である未使用領域が、入力信号線と出力信号線とを接続させることにより、この信号切替装置に関する所定の情報を記憶させる領域として使用され、この未使用領域に記録されたこの所定の情報が、このシステム内で利用されるようにしたものを提案する。
【００２６】
この信号切替システムでは、信号切替装置において入力信号線と出力信号線とが交差する領域のうち、少なくとも信号の出力のために使用されない領域である未使用領域が、入力信号線と出力信号線とを接続させることにより、この信号切替装置に関する所定の情報を記憶させるための領域として使用される。そして、この未使用領域に記録されたこの所定の情報が、システム内で利用される。
【００２７】
このように、信号切替装置に関する情報を、信号切替装置自体の未使用領域に記憶させてシステム内で利用するようにしたので、信号切替装置に関する各種情報を、システム内で容易に取得して利用できるようになる。
【００２８】
次に、本出願人は、複数の入力信号線と複数の出力信号線とが交差し、各交差箇所に接続スイッチが設けられたマトリクスを複数有する信号切替装置を用いて信号を切り替えるシステムにおいて、この信号切替装置において入力信号線と出力信号線とが交差する領域のうち、信号の入出力のために使用されないマトリクス内の領域である未使用領域が、入力信号線と出力信号線とを接続させることにより、この信号切替装置に関する所定の情報を記憶させるための領域として使用され、この未使用領域に記録されたこの所定の情報が、このシステム内で利用されるようにしたものを提案する。
【００２９】
この信号切替システムでは、信号切替装置において入力信号線と出力信号線とが交差する領域のうち、信号の入出力のために使用されないマトリクス内の領域である未使用領域が、入力信号線と出力信号線とを接続させることにより、この信号切替装置に関する所定の情報を記憶させるための領域として使用される。そして、この未使用領域に記録されたこの所定の情報が、システム内で利用される。
【００３０】
このように、信号切替装置に関する情報を、信号切替装置自体の未使用領域に記憶させてシステム内で利用するようにしたので、信号切替装置に関する各種情報を、システム内で容易に取得して利用できるようになる。
【００３１】
なお、これらの信号切替システムにおいて、一例として、未使用領域を、信号切替装置において入力信号線と出力信号線とが交差する領域のうち、信号の入出力のために使用される領域である使用領域における入力信号線と出力信号線との初期設定の接続状態を記憶させる領域として使用し、信号切替装置のこの使用領域における入力信号線と出力信号線との接続状態を、この初期設定の接続状態に戻すことを指示するための操作手段と、この操作手段の操作に基づき、信号切替装置のこの使用領域における入力信号線と出力信号線との接続状態を、この未使用領域に記憶されたこの初期設定の接続状態と同じ状態にさせる制御手段とを備えることが好適である。
【００３２】
それにより、信号切替装置自体の未使用領域に記憶させた初期設定の接続状態の情報を利用して、信号切替装置の使用領域の接続状態を、迅速且つ正確に初期設定（デフォルト）状態に戻すことができるようになる。
【００３３】
また、この切替システムが複数の信号切替装置をつなげて用いるものである場合には、一例として、各信号切替装置のこの未使用領域を、当該信号切替装置以外の信号切替装置において入力信号線と出力信号線とが交差する領域のうち、信号の入出力のために使用される領域である使用領域における入力信号線と出力信号線との現在の接続状態を記憶させる領域として使用し、各信号切替装置のこの使用領域における入力信号線と出力信号線との現在の接続状態を示す情報を、当該信号切替装置以外の信号切替装置の未使用領域に記憶させる制御手段を備えることが好適である。
【００３４】
それにより、複数の信号切替装置をつなげて用いる場合において、各信号切替装置自体の未使用領域に、相手方の信号切替装置の現在の接続状態が記憶されるので、自己の側の信号切替装置自体に記憶された情報を利用して、相手方の信号切替装置の現在の接続状態を迅速且つ正確に確認することができるようになる。
【００３５】
あるいはまた、この切替システムが複数の信号切替装置をつなげて用いるものである場合には、各信号切替装置の未使用領域を、当該信号切替装置以外の信号切替装置の名称を記憶させる領域として使用し、各信号切替装置の名称を、当該信号切替装置以外の信号切替装置の未使用領域に記憶させる制御手段を備えることも好適である。
【００３６】
それにより、複数の信号切替装置をつなげて用いる場合において、各信号切替装置自体の未使用領域に、相手方の信号切替装置の名称が記憶されるので、自己の側の信号切替装置自体に記憶された情報を利用して、相手方の信号切替装置の名称を迅速且つ正確に確認することができるようになる。
【００３７】
【発明の実施の形態】
以下、放送局におけるルーティングスイッチャを用いた映像・音声切替システムに本発明を適用した例を、図面を用いて具体的に説明する。
【００３８】
図３は、本発明を適用した映像・音声切替システムの全体構成の一例を示す。このシステムは、パーソナルコンピュータ１と、切替制御ユニット２と、ルーティングスイッチャ３と、コントロールパネル４とを含んでいる。
【００３９】
パーソナルコンピュータ（以下単にコンピュータと呼ぶ）１には、後出の図５等の操作画面をモニターに表示するとともに後出の図６〜図８のような処理を実行するためのアプリケーションソフトウェアがインストールされている。
【００４０】
切替制御ユニット２は、切替制御ユニット２全体を制御するマイクロプロセッサ１１と、コンピュータ１との間で通信を行うためのＲＳ−４２２インタフェース回路１２と、Ｓ−ＢＵＳ用インタフェース回路１３を含んでいる。
【００４１】
ルーティングスイッチャ３は、ルーティングスイッチャ３全体を制御するマイクロプロセッサ２１と、信号切替部２２と、Ｓ−ＢＵＳ用インタフェース回路２３とを含んでいる。
【００４２】
コントロールパネル４は、コントロールパネル４全体を制御するマイクロプロセッサ３１と、操作パネル部３２と、Ｓ−ＢＵＳ用インタフェース回路３３とを含んでいる。操作パネル部３２には、ルーティングスイッチャ３の個々の出力信号線をそれぞれ所望の入力信号線と接続させるための操作釦（図示略）の他に、ルーティングスイッチャ３を初期設定状態に戻すことを指示するためのデフォルト釦３４が設けられている。
【００４３】
切替制御ユニット２，ルーティングスイッチャ３，コントロールパネル４は、それぞれＳ−ＢＵＳ５に接続されている。Ｓ−ＢＵＳ５は、ルーティングスイッチャ制御用の専用のシルアルバスであり、イーサネット（「イーサネット」は登録商標）等で使用される同軸ケーブルであるＢＮＣケーブルによって各機器を接続するものである。
【００４４】
ルーティングスイッチャ３のマイクロプロセッサ２１は、Ｓ−ＢＵＳ５上で一次局として機能し、二次局としての切替制御ユニット２，コントロールパネル４とポーリング形式で通信を行って、切替制御ユニット２，コントロールパネル４からの要求を受け付けたり、信号切替部２２の現在の接続状態等の情報を切替制御ユニット２やコントロールパネル４に伝える。
【００４５】
ルーティングスイッチャ３の信号切替部２２は、図１に示したような構成をしており、入力信号線，出力信号線がそれぞれ２５６本存在するとともに、８つのレベルが存在している。
【００４６】
この映像・音声切替システムの設置時には、放送局の施設の規模等に応じて、図４に示すように、ルーティングスイッチャ３の信号切替部２２の各レベルにおいて入力信号線と出力信号線とが交差する領域のうち、レベル１において入力信号線ＩＮ００１〜ＩＮ０１２と出力信号線ＯＵＴ００１〜ＯＵＴ００８とが交差する領域４１が、実際に映像信号を入出力させるために使用する領域である使用領域として設定されるとともに、レベル２において入力信号線ＩＮ００１〜ＩＮ０１２と出力信号線ＯＵＴ００１〜ＯＵＴ００８とが交差する領域４２が、実際に音声信号を入出力させるために使用する領域である使用領域として決定されている。
【００４７】
そして、各ビデオカメラやＶＴＲ等からの映像信号，音声信号を、それぞれルーティングスイッチャ３のレベル１，２のＩＮ００１〜ＩＮ０１２の範囲の入力信号線に入力させるとともに、各送出用機器，編集装置等にそれぞれルーティングスイッチャ３のレベル１，２のＯＵＴ００１〜ＯＵＴ００８の範囲の出力信号線からの映像・音声信号を送るようにされている。
【００４８】
また、図４に示すように、ルーティングスイッチャ３の信号切替部２２の使用領域４１及び使用領域４２以外の領域（映像信号や音声信号の入出力のために使用されない領域である未使用領域）のうち、レベル１において入力信号線ＩＮ２４５〜ＩＮ２５６と出力信号線ＯＵＴ２４９〜ＯＵＴ２５６とが交差する領域（使用領域４１，４２と同じ本数の入力信号線と出力信号線とが交差する領域）４３が、使用領域４１，４２における入力信号線ＩＮ００１〜ＩＮ０１２と出力信号線ＯＵＴ００１〜ＯＵＴ００８との初期設定（デフォルト）の接続状態を記憶させるための「デフォルト状態記憶領域」として決定されている。
【００４９】
ここでは、使用領域４１，使用領域４２におけるデフォルト状態は、いずれも、各出力信号線ＯＵＴ００１〜ＯＵＴ００８を使用領域４１，使用領域４２内の番号の若い入力信号線の順に接続させた状態（出力信号線ＯＵＴ００１は入力信号線ＩＮ００１と接続させ、出力信号線ＯＵＴ００２は入力信号線ＩＮ００２と接続させ、…出力信号線ＯＵＴ００８は入力信号線ＩＮ００８と接続させた状態）として決定されている。
【００５０】
そして、この映像・音声切替システムの運用開始前に、コントロールパネル４を操作して、デフォルト状態記憶領域４３の各出力信号線ＯＵＴ２４９〜ＯＵＴ２５６をこの領域内の番号の若い入力信号線の順に接続させる（出力信号線ＯＵＴ２４９は入力信号線ＩＮ２４５と接続させ、出力信号線ＯＵＴ２５０は入力信号線ＩＮ２４６と接続させ、…出力信号線ＯＵＴ２５６は入力信号線ＩＮ２５２と接続させる）ことにより、使用領域４１，使用領域４２のデフォルト状態がデフォルト状態記憶領域４３に記憶されている。
【００５１】
コンピュータ１のモニターには、図示は省略するが、このようにして決定されたルーティングスイッチャ３の使用領域及びデフォルト状態記憶領域の位置情報（どのレベルのどの範囲の入力信号線と出力信号線とが交差する領域であるかを示す情報）を入力したり、デフォルト状態記憶領域に記録されたデフォルト状態の情報をコンピュータ１に記憶させるための操作画面（「管理モード画面」と呼ぶ）が表示されるようになっている。
【００５２】
また、コンピュータ１のモニターには、図５に示すような、ルーティングスイッチャ３の接続状態を確認・変更したり、ルーティングスイッチャ３をデフォルト状態に戻すことを指示するための操作画面も表示されるようになっている。
【００５３】
この操作画面には、図５Ａのように、ルーティングスイッチャ３の信号切替部２２の各レベル毎に、前述の使用領域（ここでは図４の使用領域４１，使用領域４２）内の各入力信号線，各出力信号線をそれぞれ横方向，縦方向に交差させて描いた、接続状態の確認・変更用のＧＵＩ画面が表示される。
【００５４】
このＧＵＩ画面において、画面縦方向の「１）〜１２）」は入力信号線の番号であり、画面横方向の「１〜８」は出力信号線の番号である。各出力信号線と入力信号線との交差箇所は、接続されている箇所が、接続されていない箇所と区別して表示（図では前者が黒丸、後者が白丸で表示）される。出力信号線と接続されている入力信号線については、その入力信号線に入力する信号の名称（「ＶＴＲ１」等）も表示される。また、出力信号線と接続されていない入力信号線は、「ＲＥＬ」と表記された縦線との交差箇所が区別して表示（図では黒丸で表示）される。このＧＵＩ画面上で、ルーティングスイッチャ３の使用領域における出力信号線と入力信号線との接続状態を確認するとともに、出力信号線と入力信号線との交差箇所をマウスでクリックする操作等により、ルーティングスイッチャ３の使用領域における出力信号線と入力信号線との接続状態を変更させることができるようになっている。
【００５５】
また、このＧＵＩ画面の上方のメニューバーの「ファイル（Ｆ）」をクリックすると、図５Ｂのような、「デフォルトに戻す（Ｄ）」というコマンドを含んだプルダウンメニューが表示される。
【００５６】
そして、この「デフォルトに戻す（Ｄ）」をクリックすると、図示は省略するが、指示を確定するためのポップアップメニューが表示される。
【００５７】
図６〜図８は、コンピュータ１の操作画面上での操作やコントロールパネル４の操作に基づく、この映像・音声切替システムの各部の処理の流れを示す図である。
【００５８】
このうち、図６は、コンピュータ１の前述の管理モード画面で、デフォルト状態の情報をコンピュータ１に記憶することが指示されたことに基づいて実行される処理であり、コンピュータ１は、管理モード画面で入力されたデフォルト状態記憶領域の位置情報に基づき、ルーティングスイッチャ３のデフォルト状態記憶領域に記憶されたデフォルト状態の情報の送信を、ＲＳ−４２２をプロトコルとする通信によって切替制御ユニット２のマイクロプロセッサ１１に要求する（ステップＳ１）。
【００５９】
切替制御ユニット２のマイクロプロセッサ１１は、コンピュータ１からのこの要求を、ルーティングスイッチャ３のマイクロプロセッサ２１からのポーリングによって自己が呼び出されたタイミングで、Ｓ−ＢＵＳ５経由でルーティングスイッチャ３のマイクロプロセッサ２１に転送する（ステップＳ２）。
【００６０】
ルーティングスイッチャ３のマイクロプロセッサ２１は、この要求を受信すると、信号切替部２２から、デフォルト状態記憶領域に記憶されたデフォルト状態の情報（デフォルト状態記憶領域における出力信号線と入力信号線との接続状態を示す情報）を取得する（ステップＳ３）。
【００６１】
そして、ルーティングスイッチャ３のマイクロプロセッサ２１は、このデフォルト状態の情報を、ポーリングによって切替制御ユニット２のマイクロプロセッサ１１に送る（ステップＳ４）。
【００６２】
切替制御ユニット２のマイクロプロセッサ１１は、ルーティングスイッチャ３のマイクロプロセッサ２１から受信したこのデフォルト状態の情報を、ＲＳ−４２２をプロトコルとする通信によってコンピュータ１に転送する（ステップＳ５）。
【００６３】
コンピュータ１は、切替制御ユニット２のマイクロプロセッサ１１から受信したこのデフォルト状態の情報を、コンピュータ１内のハードディスクに記憶する（ステップＳ６）。
【００６４】
図７は、コンピュータ１の図５のＧＵＩ画面またはコントロールパネル４で、出力信号線と入力信号線との接続状態を変化させる操作が行われたことに基づいて実行される処理である。
【００６５】
コンピュータ１の図５の操作画面で、出力信号線と入力信号線との接続状態を変化させる操作が行われると、コンピュータ１は、その操作に応じてルーティングスイッチャ３の使用領域の接続状態を変化させることを、ＲＳ−４２２をプロトコルとする通信によって切替制御ユニット２のマイクロプロセッサ１１に要求する（ステップＳ１１）。
【００６６】
切替制御ユニット２のマイクロプロセッサ１１は、コンピュータ１からのこの要求を、ルーティングスイッチャ３のマイクロプロセッサ２１からのポーリングによって自己が呼び出されたタイミングで、Ｓ−ＢＵＳ５経由でルーティングスイッチャ３のマイクロプロセッサ２１に転送する（ステップＳ１２）。
【００６７】
他方、コントロールパネル４で出力信号線と入力信号線との接続状態を変化させる操作が行われると、コントロールパネル４のマイクロプロセッサ３１は、ルーティングスイッチャ３のマイクロプロセッサ２１からのポーリングによって自己が呼び出されたタイミングで、その操作に応じてルーティングスイッチャ３の使用領域の接続状態を変化させる要求を、Ｓ−ＢＵＳ５経由でルーティングスイッチャ３のマイクロプロセッサ２１に送る（ステップＳ１３）。
【００６８】
ルーティングスイッチャ３のマイクロプロセッサ２１は、このステップＳ１２またはＳ１３の要求を受信すると、その要求に基づき、信号切替部２２を制御して、使用領域の接続状態を変化させる（ステップＳ１４）。
【００６９】
そして、ルーティングスイッチャ３のマイクロプロセッサ２１は、使用領域における入力信号線と出力信号線との現在の接続状態を示す情報を、ポーリングによって切替制御ユニット２のマイクロプロセッサ１１，コントロールパネル４のマイクロプロセッサ３１にそれぞれ送る（ステップＳ１５）。
【００７０】
切替制御ユニット２のマイクロプロセッサ１１は、ルーティングスイッチャ３のマイクロプロセッサ２１から受信したこの現在の接続状態を示す情報を、ＲＳ−４２２をプロトコルとする通信によってコンピュータ１に転送する（ステップＳ１６）。
【００７１】
コンピュータ１は、切替制御ユニット２のマイクロプロセッサ１１から受信したこの現在の接続状態を示す情報に基づき、図５のＧＵＩ画面の交差箇所の表示を変更する（ステップＳ１７）。
【００７２】
図８は、コンピュータ１の図５の操作画面上で、プルダウンメニューの「デフォルトに戻す（Ｄ）」がクリックされた後前述の指示確定用ポップアップメニューで指示が確定されるか、またはコントロールパネル４のデフォルト釦３４が操作されたことに基づいて実行される処理である。
【００７３】
コンピュータ１の図５の操作画面上で、プルダウンメニューの「デフォルトに戻す（Ｄ）」がクリックされた後前述のポップアップメニューで指示が確定されると、コンピュータ１，切替制御ユニット２のマイクロプロセッサ１１，ルーティングスイッチャ３のマイクロプロセッサ２１が、図６のステップＳ１〜Ｓ５と同じ処理を実行することにより、その指示された時点でのデフォルト状態の情報が、コンピュータ１に転送される（ステップＳ２１〜Ｓ２５）。
【００７４】
コンピュータ１は、この転送されたデフォルト状態の情報と、図６のステップＳ１〜Ｓ６の処理によって既にハードディスクに記憶しているデフォルト状態の情報とを比較して、両者が一致しているか否かを判断する（ステップＳ２６）。
【００７５】
ノーであれば、ルーティングスイッチャ３のデフォルト状態記憶領域内のデフォルト状態の情報が変更されていることを通知するとともに、変更前のデフォルト状態（ハードディスク内の情報が示すデフォルト状態），変更後のデフォルト状態（ルーティングスイッチャ３のデフォルト状態記憶領域内の情報が示すデフォルト状態）のうちのいずれのデフォルト状態に戻すかを選択させるための通知・選択用ポップアップメニュー（図示略）を、図５の操作画面に表示する（ステップＳ２７）。
【００７６】
そして、この通知・選択用ポップアップメニューで、変更後のデフォルト状態（ルーティングスイッチャ３のデフォルト状態記憶領域内の情報が示すデフォルト状態）に戻すことが選択されたか否かを判断する（ステップＳ２８）。
【００７７】
イエスである場合や、ステップＳ２６でイエスであった場合には、コンピュータ１は、管理モード画面で入力された使用領域及びデフォルト状態記憶領域の位置情報に基づき、ルーティングスイッチャ３の使用領域における入力信号線と出力信号線との接続状態を、デフォルト状態記憶領域における入力信号線と出力信号線との接続状態に一致させる要求を、ＲＳ−４２２をプロトコルとする通信によって切替制御ユニット２のマイクロプロセッサ１１に送る（ステップＳ２９）。
【００７８】
切替制御ユニット２のマイクロプロセッサ１１は、コンピュータ１からのこの要求を、ルーティングスイッチャ３のマイクロプロセッサ２１からのポーリングによって自己が呼び出されたタイミングで、Ｓ−ＢＵＳ５経由でルーティングスイッチャ３のマイクロプロセッサ２１に転送する（ステップＳ３０）。
【００７９】
ステップＳ２８でノーであった場合には、コンピュータ１は、既にハードディスクに記憶しているデフォルト状態の情報と、ルーティングスイッチャ３の使用領域における入力信号線と出力信号線との接続状態をこの情報の示すデフォルト状態に変化させる要求とを、ＲＳ−４２２をプロトコルとする通信によって切替制御ユニット２のマイクロプロセッサ１１に送る（ステップＳ３１）。
【００８０】
切替制御ユニット２のマイクロプロセッサ１１は、コンピュータ１からのこの情報及び要求を、ルーティングスイッチャ３のマイクロプロセッサ２１からのポーリングによって自己が呼び出されたタイミングで、Ｓ−ＢＵＳ５経由でルーティングスイッチャ３のマイクロプロセッサ２１に転送する（ステップＳ３２）。
【００８１】
他方、コントロールパネル４のデフォルト釦３４が操作されると、コントロールパネル４のマイクロプロセッサ３１は、ルーティングスイッチャ３のマイクロプロセッサ２１からのポーリングによって自己が呼び出されたタイミングで、ルーティングスイッチャ３の信号切替部２２の使用領域における入力信号線と出力信号線との接続状態を、信号切替部２２のデフォルト状態記憶領域における入力信号線と出力信号線との接続状態に一致させる要求を、Ｓ−ＢＵＳ５経由でルーティングスイッチャ３のマイクロプロセッサ２１に送る（ステップＳ３３）。
【００８２】
ルーティングスイッチャ３のマイクロプロセッサ２１は、ステップＳ３０またはＳ３３の要求を受信すると、信号切替部２２を制御して、使用領域における入力信号線と出力信号線との接続状態を、デフォルト状態記憶領域における入力信号線と出力信号線との接続状態に一致させる（ステップＳ３４）。
【００８３】
他方、ルーティングスイッチャ３のマイクロプロセッサ２１は、ステップＳ３２の要求を受信すると、信号切替部２２を制御して、使用領域における入力信号線と出力信号線との接続状態を、送信された情報（すなわちコンピュータ１のハードディスク内の情報）が示すデフォルト状態に変化させる（ステップＳ３５）。
【００８４】
このステップＳ３４やＳ３５の後、コンピュータ１，切替制御ユニット２のマイクロプロセッサ１１，ルーティングスイッチャ３のマイクロプロセッサ２１は、図７のステップＳ１５〜Ｓ１７と同じ処理を実行する。
【００８５】
次に、この映像・音声切替システムにおいて、ルーティングスイッチャ３をデフォルト状態に戻す様子について説明する。
【００８６】
図４に示したようにして、ルーティングスイッチャ３の信号切替部２２の使用領域４１，使用領域４２及びデフォルト状態記憶領域４３が決定されるとともに、使用領域４１及び使用領域４２のデフォルト状態がデフォルト状態記憶領域４３に記憶されると、オペレータは、システムの運用開始前に、コンピュータ１の前述の管理モード画面で、使用領域４１，使用領域４２及びデフォルト状態記憶領域４３の位置情報を入力しておく。
【００８７】
また、オペレータは、システムの運用開始前に、この管理モード画面で、デフォルト状態記憶領域４３のデフォルト状態の情報をコンピュータ１に記憶することを指示しておく。すると、図６に示した処理が実行されることにより、デフォルト状態記憶領域４３に記憶されているデフォルト状態の情報が、コンピュータ１内のハードディスクにも記憶される。
【００８８】
システムの運用が開始されると、オペレータは、コンピュータ１の図５のＧＵＩ画面やコントロールパネル４で、ルーティングスイッチャ３の使用領域４１や使用領域４２の各出力信号線をそれぞれ所望の入力信号線と接続させる操作を行う。すると、図７に示した処理が実行されることにより、その操作に従ってルーティングスイッチャ３の使用領域４１や使用領域４２の接続状態が変化するとともに、使用領域４１や使用領域４２の現在の接続状態が図５の操作画面にも表示される。
【００８９】
そして、緊急時等に、ルーティングスイッチャ３をデフォルト状態に戻す必要が生じると、オペレータは、コンピュータ１の図５の操作画面上で、プルダウンメニューの「デフォルトに戻す（Ｄ）」をクリックした後指示確定用のポップアップメニューで指示を確定するか、コントロールパネル４のデフォルト釦３４を操作する。すると、図８の処理が実行されることにより、ルーティングスイッチャ３がデフォルト状態に戻される。
【００９０】
その際、最後にコンピュータ１内のハードディスクに記憶したデフォルト状態の情報と、ルーティングスイッチャ３のデフォルト状態記憶領域４３に記憶されているデフォルト状態の情報とが一致している場合（図８のステップＳ２６でイエスになった場合）や、両者が相違していても、コンピュータ１の図５の操作画面で、デフォルト状態記憶領域４３に記憶されているデフォルト状態の情報のほうを選択した場合（図８のステップＳ２８でイエスになった場合）は、デフォルト状態記憶領域４３内のデフォルト状態の情報が正しい場合（システムの運用開始前に記憶させたままであるか、システムの運用開始後に正規に変更された場合）に該当する。
【００９１】
その場合には、ルーティングスイッチャ３のデフォルト状態記憶領域４３における入力信号線と出力信号線との接続状態が、使用領域４１及び使用領域４２にいわばそのまま写像される（図８のステップＳ２９，Ｓ３０，Ｓ３４）。
【００９２】
すなわち、デフォルト状態記憶領域４３の接続状態が、各出力信号線ＯＵＴ２４９〜ＯＵＴ２５６をデフォルト状態記憶領域４３内の番号の若い入力信号線の順に接続させた（出力信号線ＯＵＴ２４９は入力信号線ＩＮ２４５と接続させ、出力信号線ＯＵＴ２５０は入力信号線ＩＮ２４６と接続させ、…出力信号線ＯＵＴ２５６は入力信号線ＩＮ２５２と接続させた）状態であるとすると、使用領域４１，使用領域４２ともに、それぞれ各出力信号線ＯＵＴ００１〜ＯＵＴ００８が使用領域４１，使用領域４２内の番号の若い入力信号線の順に接続される（出力信号線ＯＵＴ００１は入力信号線ＩＮ００１と接続され、出力信号線ＯＵＴ００２は入力信号線ＩＮ００２と接続され、…出力信号線ＯＵＴ００８は入力信号線ＩＮ００８と接続される）ことになる。
【００９３】
これに対し、最後にコンピュータ１内のハードディスクに記憶したデフォルト状態の情報と、デフォルト状態記憶領域４３に記憶されているデフォルト状態の情報とが相違しており、且つ、コンピュータ１の図５の操作画面で、コンピュータ１内のハードディスクに記憶したデフォルト状態の情報のほうを選択した場合（図７のステップＳ２８でノーであった場合）は、デフォルト状態記憶領域４３内のデフォルト状態の情報を誤って改変してしまった場合（例えばシステムの運用開始後のコントロールパネル４の誤操作等でデフォルト状態記憶領域４３内の出力信号線を新たに入力信号線と接続させてしまった場合）に該当する。
【００９４】
こうした場合には、システムの運用開始前にコンピュータ１に記憶させておいたデフォルト状態記憶領域４３のデフォルト状態の情報（正しいデフォルト状態の情報）に従って、ルーティングスイッチャ３がデフォルト状態に戻される（図８のステップＳ３１，Ｓ３２，Ｓ３５）。
【００９５】
以上のように、この映像・音声切替システムでは、ルーティングスイッチャ３の信号切替部２２の領域のうち、映像信号や音声信号の入出力のために使用されない領域である未使用領域の一部が、入力信号線と出力信号線とを接続させることにより、ルーティングスイッチャ３の信号切替部２２の領域のうち映像信号や音声信号の入出力のために使用される領域である使用領域における入力信号線と出力信号線とのデフォルトの接続状態を記憶させる領域（デフォルト状態記憶領域）として使用される。
【００９６】
そして、コンピュータ１の図５の操作画面やコントロールパネル４のデフォルト釦４３でのオペレータの指示により、ルーティングスイッチャ３の使用領域の接続状態が、このデフォルト状態記憶領域に記憶されたデフォルト状態と同じ状態にされる。
【００９７】
それにより、ルーティングスイッチャ３自体の未使用領域に記憶させた情報を利用して、ルーティングスイッチャ３の使用領域の接続状態を、迅速且つ正確にデフォルト状態に戻すことができるようになっている。
【００９８】
次に、図９は、本発明を適用した映像・音声切替システムの全体構成の別の例を示す。この例では、映像・音声切替システム５１と映像・音声切替システム６１との２つのシステムが設置されている。
【００９９】
システム５１は、図３の映像・音声切替システムと同様に、コンピュータ５２・切替制御ユニット５３間でＲＳ−４２２をプロトコルとする通信が行われるとともに、切替制御ユニット５３，ルーティングスイッチャ５４，コントロールパネル５５がＳ−ＢＵＳ５６に接続され、ルーティングスイッチャ５４が一次局として機能する。切替制御ユニット５３，ルーティングスイッチャ５４，コントロールパネル５５は、それぞれ図３の切替制御ユニット２，ルーティングスイッチャ３，コントロールパネル４と同様の構成のものである。
【０１００】
システム６１も、システム５１と同様の構成である。システム５１のコンピュータ５２とシステム６１のコンピュータ６２とは、イーサネット７１で結ばれている。
【０１０１】
各システム５１，５２のルーティングスイッチャ５４，６４も、それぞれ使用領域が決定されている。そして、ルーティングスイッチャ５４とルーティングスイッチャ６４とは、図２に示した２つのルーティングスイッチャと同様にして、つなげて用いられている。すなわち、各ビデオカメラやＶＴＲ等からの映像信号，音声信号は、システム５１のルーティングスイッチャ５４の使用領域の入力信号線に入力される。ルーティングスイッチャ５４の使用領域の出力信号線から出力した映像・音声信号は、システム６１のルーティングスイッチャ６４の使用領域の入力信号線に入力する。そして、ルーティングスイッチャ６４の使用領域の出力信号線から出力した映像・音声信号が、送出用機器や編集装置等に送られる。
【０１０２】
また、ルーティングスイッチャ５４，６４は、それぞれ未使用領域の一部が、相手方のルーティングスイッチャの現在の接続状態を記憶するための「接続情報記憶領域」と、  相手方のルーティングスイッチャの名称を記憶するための「名称記憶領域」として決定されている。
【０１０３】
図１０，図１１は、この「接続情報記憶領域」や「名称記憶領域」に情報を記憶させるためのシステム５１，６１の各部の処理の流れを示す図である。
【０１０４】
このうち、図１０は、ルーティングスイッチャ５４，６４の使用領域の接続状態が変化したことに基づいて実行される処理を示す。以下、ルーティングスイッチャ５３のほうの使用領域の接続状態が変化した場合を例にとって、この処理を説明する。
【０１０５】
システム５１のコントロールパネル５５の操作等により、ルーティングスイッチャ５４の使用領域の接続状態が変化し、使用領域の現在の接続状態を示す情報がルーティングスイッチャ５４から切替制御ユニット５３を経てコンピュータ５２に送られると、コンピュータ５２は、この現在の接続状態を示す情報と、ルーティングスイッチャ６４の「接続情報記憶領域」にこの情報を記憶させる要求（ルーティングスイッチャ６４の「接続情報記憶領域」の接続状態を、この情報が示す接続状態に変化させる要求）とを、イーサネット７１経由でシステム６１のコンピュータ６２に送る（ステップＳ４１）。
【０１０６】
システム６１のコンピュータ６２は、この情報及び要求を切替制御ユニット６３に転送する（ステップＳ４２）。
【０１０７】
切替制御ユニッ６３は、コンピュータ６２からのこの情報及び要求を、ルーティングスイッチャ６４に転送する（ステップＳ４３）。
【０１０８】
ルーティングスイッチャ６４は、この情報及び要求を受信すると、「接続情報記憶領域」の接続状態をこの情報の示す接続状態に変化させることにより、相手方のシステム５１のルーティングスイッチャ５４の使用領域の現在の接続状態を「接続情報記憶領域」に記憶させる（ステップＳ４４）。
【０１０９】
図１１は、コンピュータ５２，６２に、それぞれルーティングスイッチャ５４，６４の名称の情報が入力された（例えばキーボードで名称が入力されるか、あるいは切替制御ユニット５３，６３から名称の情報が送られた）ことに基づいて実行される処理を示す。以下、コンピュータ５２のほうにルーティングスイッチャ５４の名称の情報が入力された場合を例にとって、この処理を説明する。
【０１１０】
システム５１のルーティングスイッチャ５４の名称（例えば「ＲＳＷ１」というような名称）の情報がコンピュータ５２に入力されると、コンピュータ５２は、この名称を示す情報と、ルーティングスイッチャ６４の「名称記憶領域」にこの名称を記憶させる（入力信号線と出力信号線との各交差箇所での接続の有無を‘０’，‘１’として、「名称記憶領域」に所定の文字コードでこの名称を表現させる）ことを要求するコマンドとを、イーサネット７１経由でシステム６１のコンピュータ６２に送る（ステップＳ５１）。
【０１１１】
システム６１のコンピュータ６２は、この名称の情報及びコマンドを切替制御ユニット６３に転送する（ステップＳ５２）。
【０１１２】
切替制御ユニッ６３は、コンピュータ６２からのこの情報及び要求を、ルーティングスイッチャ６４に転送する（ステップＳ５３）。
【０１１３】
ルーティングスイッチャ６４は、この情報及び要求を受信すると、入力信号線と出力信号線との各交差箇所での接続の有無を‘０’，‘１’として、「名称記憶領域」に所定の文字コードでこの名称を表現する（例えば「ＲＳＷ１」というような英数字の名称であれば、各文字を８ビットで表現する）ことにより、相手方のシステム５１のルーティングスイッチャ５４の名称を「名称記憶領域」に記憶させる（ステップＳ５４）。
【０１１４】
このように、この図９の映像・音声切替システムでは、各システム５１，６１のルーティングスイッチャ５４，６４の未使用領域の一部が、入力信号線と出力信号線とを接続させることにより、相手方のシステムのルーティングスイッチャの現在の接続状態を記憶させる領域（接続状態記憶領域）や、相手方のシステムのルーティングスイッチャの名称を記憶させる領域（名称記憶領域）として使用される。
【０１１５】
すなわち、２つのシステムのルーティングスイッチャがつなげて用いられる映像・音声切替システムにおいて、各システムのルーティングスイッチャ自体の未使用領域に、相手方のシステムのルーティングスイッチャの現在の接続状態や名称が記憶される。
【０１１６】
これにより、自己のシステムのルーティングスイッチャ自体の未使用領域に記憶された情報を利用して、相手方のシステムのルーティングスイッチャの現在の接続状態や名称を迅速且つ正確に確認する（例えばコンピュータやコントロールパネルにそれらを表示させて確認する）ことが可能になるので、各ビデオカメラやＶＴＲ等からの映像・音声信号を最終的に目的とする送出用機器や編集装置等に間違いなく送ることができるようになる。
【０１１７】
なお、以上の例では、図４に示したように、未使用領域のうち入力信号線と出力信号線との両方が使用領域と重複しない領域を、デフォルト状態記憶領域のような、ルーティングスイッチャに関する情報を記憶させる領域として決定している。
【０１１８】
しかし、入力信号線が使用領域と重複していても出力信号線さえ使用領域と重複していない領域であれば、その領域から外部（送出用機器や編集装置等）に信号が送られる恐れはない。したがって、未使用領域のうち出力信号線のみが使用領域と重複しない領域を、ルーティングスイッチャに関する情報を記憶させる領域として決定してもよい。
【０１１９】
また、以上の例では、図４に示したように、ルーティングスイッチャのうち映像信号や音声信号を入出力させるレベルの未使用領域の一部を、ルーティングスイッチャに関する情報を記憶させる領域として決定している。しかし、別の例として、ルーティングスイッチャのうち使用しない（映像信号や音声信号を入出力させない）レベルの領域の一部を、ルーティングスイッチャに関する情報を記憶させる領域として決定してもよい。
【０１２０】
また、以上の例では、ルーティングスイッチャに関する情報として、使用領域のデフォルト状態や、２つのルーティングスイッチャをつなげて用いる場合における相手方のルーティングスイッチャの現在の接続状態・名称を記憶させている。しかし、これに限らず、例えば２つのルーティングスイッチャをつなげて用いる場合において、相手方のルーティングスイッチャの入力信号線または出力信号線についての信号名称（図５に示した「ＶＴＲ１」等）を、ルーティングスイッチャ自体の未使用領域に記憶させる（入力信号線と出力信号線との各交差箇所での接続の有無を‘０’，‘１’として所定の文字コードで信号名称を表現させる）ようにしてもよい。
【０１２１】
また、以上の例では、放送局におけるルーティングスイッチャを用いた映像・音声切替システムに発明を適用している。しかし、これに限らず、ルーティングスイッチャのような信号切替装置を用いて信号を切り替えるてあらゆるシステムに本発明を適用してよい。
【０１２２】
また、本発明は、以上の例に限らず、本発明の要旨を逸脱することなく、その他様々の構成をとりうることはもちろんである。
【０１２３】
【発明の効果】
以上のように、本発明によれば、ルーティングスイッチャのような信号切替装置を用いて信号を切り替えるシステムにおいて、信号切替装置に関する情報を、信号切替装置自体の未使用領域に記憶させてシステム内で利用するようにしたので、信号切替装置に関する各種情報を、システム内で容易に取得して利用できるという効果が得られる。
【０１２４】
さらに、信号切替装置自体の未使用領域に記憶させた初期設定の接続状態の情報を利用して、信号切替装置の使用領域の接続状態を、迅速且つ正確に初期設定（デフォルト）状態に戻すことができるという効果が得られる。
【０１２５】
さらに、複数の信号切替装置をつなげて用いる場合において、各信号切替装置自体の未使用領域に、相手方の信号切替装置の現在の接続状態が記憶されるので、自己の側の信号切替装置自体に記憶された情報を利用して、相手方の信号切替装置の現在の接続状態を迅速且つ正確に確認することができるようになるという効果が得られる。
【０１２６】
さらに、複数の信号切替装置をつなげて用いる場合において、各信号切替装置自体の未使用領域に、相手方の信号切替装置の名称が記憶されるので、自己の側の信号切替装置自体に記憶された情報を利用して、相手方の信号切替装置の名称を迅速且つ正確に確認することができるようになるという効果が得られる。
【図面の簡単な説明】
【図１】ルーティングスイッチャの信号切替部の構造を示す図である。
【図２】２つのルーティングスイッチャをつなげて用いる例を示す図である。
【図３】本発明を適用した映像・音声信号切替システムの構成の一例を示す図である。
【図４】図３のルーティングスイッチャの使用領域及びデフォルト状態記憶領域を示す図である。
【図５】図３のコンピュータの操作画面を示す図である。
【図６】図３のシステムで実行される処理の流れを示す図である。
【図７】図３のシステムで実行される処理の流れを示す図である。
【図８】図３のシステムで実行される処理の流れを示す図である。
【図９】本発明を適用した映像・音声信号切替システムの構成の別の一例を示す図である。
【図１０】図９のシステムで実行される処理の流れを示す図である。
【図１１】図９のシステムで実行される処理の流れを示す図である。
【符号の説明】
１，５２，６２  パーソナルコンピュータ、  ２，５３，６３  切替制御ユニット、  ３，５４，６４  ルーティングスイッチャ、  ４，５５，６５  コントロールパネル、  ５  Ｓ−ＢＵＳ、  １１，２１，３１  マイクロプロセッサ、１２  ＲＳ−４２２インタフェース回路、  １３，２３，３３  Ｓ−ＢＵＳ用インタフェース回路、  ２２  信号切替部、  ３２  操作パネル部、  ３４  デフォルト釦、  ７１  イーサネット
【図１】
2004274406.tif 000003
【図２】
2004274406.tif 000004
【図３】
2004274406.tif 000005
【図４】
2004274406.tif 000006
【図５】
2004274406.tif 000007
【図６】
2004274406.tif 000008
【図７】
2004274406.tif 000009
【図８】
2004274406.tif 000010
【図９】
2004274406.tif 000011
【図１０】
2004274406.tif 000012
【図１１】
2004274406.tif 000013